(57)【要約】【課題】給紙トレイに対して用紙情報を設定する場合に、用紙プロファイルに適した用紙の在庫情報を容易に把握できる画像形成装置を提供することを課題とする。【解決手段】画像形成装置は、用紙を収納可能な給紙トレイと、給紙トレイに対し、給紙トレイに収納されている用紙の用紙情報を設定するための操作部と、在庫を管理する在庫管理システムから在庫を所定条件で検索可能な制御部と、表示部と、を備え、制御部は、操作部によって設定された用紙情報に対応する在庫を在庫管理システムから検索し、検索された在庫に関する在庫情報を表示部に表示させる。【選択図】図１
2017015975.tif 000002
【特許請求の範囲】
【請求項１】
用紙を収納可能な給紙トレイと、
用紙プロファイルを記憶する記憶部と、
前記用紙プロファイルを表示する表示部と、
前記用紙プロファイルに対応する在庫を、在庫を管理する在庫管理システムから所定条件で検索し、検索された在庫に関する在庫情報を前記表示部に表示させる制御部と、
前記用紙プロファイルに基づき、前記給紙トレイに収納される用紙の用紙情報を前記給紙トレイに対して設定するための操作部と、
を備えることを特徴とする画像形成装置。
【請求項２】
前記制御部は、検索された在庫が複数あった場合、在庫情報を在庫リストとして前記表示部に表示させることを特徴とする請求項１に記載の画像形成装置。
【請求項３】
前記制御部は、在庫情報を前記表示部に表示させる際、在庫の有無及び在庫量の少なくとも一つを前記表示部に表示させることを特徴とする請求項１又は２に記載の画像形成装置。
【請求項４】
前記制御部は、在庫情報を前記表示部に表示させる際、在庫がある場合は用紙情報を前記表示部に表示させ、在庫がない場合は用紙情報を前記表示部に表示させないことを特徴とする請求項１から３のいずれか一項に記載の画像形成装置。
【請求項５】
前記所定条件は、前記用紙プロファイルを構成する各項目と、在庫の用紙情報を構成する各項目とで、項目に設定された設定内容が一致しているかを判断することである請求項１から４のいずれか一項に記載の画像形成装置。
【請求項６】
前記制御部は、前記用紙プロファイルを構成する項目に対して「指定しない」の設定内容が設定されている場合は、「指定しない」の設定内容が設定されている項目に対して設定内容が一致しているかを判断せずに在庫を検索することを特徴とする請求項１から５のいずれか一項に記載の画像形成装置。
【請求項７】
前記制御部は、設定内容が少なくとも一部の項目で一致している在庫に関する在庫情報を前記表示部に表示させることを特徴とする請求項１から６のいずれか一項に記載の画像形成装置。
【請求項８】
前記制御部は、在庫情報を前記表示部に表示させる際、設定内容が一致している項目の数に応じて在庫情報を表示させる位置を決定することを特徴とする請求項７に記載の画像形成装置。
【請求項９】
前記制御部は、在庫情報を前記表示部に表示させる際、全ての項目で設定内容が一致している在庫に関する在庫情報と、設定内容が一部の項目でのみ一致している在庫に関する在庫情報とを、異なる方法で表示させることを特徴とする請求項７又は８に記載の画像形成装置。
【請求項１０】
前記制御部は、在庫情報を前記表示部に表示させる際、在庫の最終納入日、納入予定日、置き場所の少なくとも一つを前記表示部に表示させることを特徴とする請求項１から９のいずれか一項に記載の画像形成装置。
【請求項１１】
用紙が重なって搬送される重送を検知する重送検知センサーをさらに備え、
前記制御部は、前記用紙プロファイルの前記重送検知センサーによって重送を検知する項目に対して「検知する」の設定内容が設定されている場合は、用紙種類の項目に対して「封筒」の設定内容が設定されている在庫を除外して在庫を検索することを特徴とする請求項１から１０のいずれか一項に記載の画像形成装置。
【請求項１２】
前記制御部は、前記用紙プロファイルを構成する項目に対して「インデックス紙」の設定内容が設定され、かつ、前記用紙プロファイルの項目にタブ耳数の項目が含まれている場合は、タブ耳数の項目に設定された設定内容が一致しているかを判断することにより在庫を検索することを特徴とする請求項１から１１のいずれか一項に記載の画像形成装置。
【請求項１３】
前記制御部は、さらに他の画像形成装置に備えられた各給紙トレイに収納されている用紙を在庫として検索可能であることを特徴とする請求項１から１２のいずれか一項に記載の画像形成装置。
【請求項１４】
前記制御部は、在庫情報を前記表示部に表示させる際、少なくとも他の画像形成装置を特定する情報を前記表示部に表示させることを特徴とする請求項１３に記載の画像形成装置。
【請求項１５】
前記制御部は、在庫情報を前記表示部に表示させる際、さらに他の画像形成装置に備えられた各給紙トレイを特定する情報を前記表示部に表示させることを特徴とする請求項１４に記載の画像形成装置。
【請求項１６】
前記制御部は、在庫情報を前記表示部に表示させる際、少なくとも他の画像形成装置の給紙トレイを使用するジョブの状態を表示させることを特徴とする請求項１３から１５のいずれか一項に記載の画像形成装置。
【請求項１７】
前記制御部は、在庫情報を前記表示部に表示させる際、少なくとも他の画像形成装置の給紙トレイに収納されている用紙の枚数と、他の画像形成装置の給紙トレイのジョブによる印刷予定枚数とを前記表示部に表示させることを特徴とする請求項１３から１６のいずれか一項に記載の画像形成装置。
【請求項１８】
前記制御部は、在庫情報を前記表示部に表示させる際、前記用紙プロファイルに対応する他の画像形成装置の給紙トレイに収納されている用紙の枚数と、前記ジョブによる印刷予定枚数とに基づいて在庫情報の表示方法を変更することを特徴とする請求項１７に記載の画像形成装置。
【発明の詳細な説明】
【技術分野】
【０００１】
本発明は、用紙の在庫管理を行う画像形成装置に関する。
【背景技術】
【０００２】
電子写真方式の画像形成装置では、一様に帯電した感光体に対して画像情報に基づいてレーザー光が照射されることにより、感光体の表面に静電潜像が形成される。そして、静電潜像が形成された感光体に現像器によってトナーが供給されることにより、静電潜像が可視化されてトナー像が形成される。このトナー像が、中間転写ベルトを介して転写部の圧接によって給紙トレイから搬送された用紙に転写された後、定着器によって加熱及び加圧されることによってトナー像が用紙に定着され、用紙に画像が形成される。
【０００３】
このような画像形成装置で画像形成を行うジョブを実行する場合、ジョブの途中で給紙トレイ内の用紙がなくなってしまうと、給紙トレイに用紙を補給するためにジョブを一旦停止させなければならず、生産性が落ちてしまう。そのため、予め給紙トレイ内の用紙残量を考慮した上でジョブが完遂できるかを判断する必要がある。
【０００４】
例えば、特許文献１に提案されている画像形成装置では、ＨＤＤから給紙トレイの用紙残量を読み出し、ジョブの実行によって印刷される用紙の予定枚数（印刷予定枚数）を計算する。用紙残量から印刷予定枚数を減算した結果、用紙残量が０を下回る場合は、ジョブ開始前にユーザーに対して用紙補給が必要であることを示す警告メッセージを表示部に表示させる。
【０００５】
また、ネットワークを介してこの画像形成装置を在庫管理システムに接続し、在庫管理システムから給紙トレイに収納された用紙に対応する倉庫内の用紙残量、すなわち在庫の残量を取得し、倉庫内の用紙残量が予め設定した閾値を下回っている場合は、用紙の発注が必要であることを示す警告メッセージを表示部に表示させる。
【０００６】
このように、特許文献１に提案されている画像形成装置では、ユーザーに対して用紙残量に関する情報を報知することができる。
【先行技術文献】
【特許文献】
【０００７】
【特許文献１】特開２００６−０５８９４４号公報
【発明の概要】
【発明が解決しようとする課題】
【０００８】
ところで、プロダクションプリンターの分野では、高品質な画像形成を行うため、多種多様な用紙情報を給紙トレイに対して設定し、これによって画像形成の制御を行っている。しかし、ジョブの実行開始タイミングで複雑な用紙情報を一つ一つ設定していると、ジョブを開始させるまでに非常に時間がかかってしまうため、ジョブの準備段階において、用紙プロファイルに基づいて給紙トレイに対して用紙情報を設定することが行われている。用紙プロファイルとは給紙トレイに対して設定したい用紙情報を予め記憶させておくもので、用紙プロファイルを利用することでユーザーは複雑な用紙情報を給紙トレイに対してすばやく設定することが可能である。
【０００９】
しかしながら、給紙トレイに対して用紙情報を設定することができても、用紙プロファイルに適する用紙の在庫情報が把握できないため、用紙情報を設定した後、給紙トレイに収納すべき用紙の場所が分からないという問題があった。特許文献１に記載されている画像形成装置は、給紙トレイに対して用紙情報が設定された状態でその用紙情報に対応する在庫情報を表示させることはできるが、用紙プロファイルを利用する場合について記載されておらず、用紙プロファイルに適する用紙の在庫情報を表示させることができない。そのため、ユーザーは用紙プロファイルに適する用紙の在庫情報を把握することができず、在庫から用紙プロファイルに適した用紙を探すのに時間がかかったり、用紙情報に適した用紙が見つからなかったりするという問題があった。
【００１０】
本発明は、上記の従来技術における問題に鑑み、用紙プロファイルに基づいて給紙トレイに対して用紙情報を設定する場合に、用紙プロファイルに適した用紙の在庫情報を容易に把握できる画像形成装置を提供することを課題とする。
【課題を解決するための手段】
【００１１】
上記課題を解決するために、本発明の様態は、用紙を収納可能な給紙トレイと、給紙トレイに対し、給紙トレイに収納されている用紙の用紙情報を設定するための操作部と、在庫を管理する在庫管理システムから在庫を所定条件で検索可能な制御部と、表示部と、を備え、制御部は、操作部によって設定された用紙情報に対応する在庫を在庫管理システムから検索し、検索された在庫に関する在庫情報を表示部に表示させることを特徴とする画像形成装置であることを要旨とする。
【発明の効果】
【００１２】
本発明によれば、給紙トレイに対して用紙情報を設定する画像形成装置において、用紙プロファイルに適した用紙の在庫情報を容易に把握できる。
【図面の簡単な説明】
【００１３】
【図１】機能的構成を示すブロック図である。
【図２】各給紙トレイに用紙情報を設定するためのトレイ設定画面を示す図である。
【図３】用紙プロファイル呼出し画面を示す図である。
【図４】用紙在庫欄を表示する処理を示すフローチャートである
【図５】在庫管理システムから取得した在庫情報の例である。
【図６】在庫ありのみ表示の処理を示すフローチャートである。
【図７】在庫ありの用紙プロファイルのみを表示させた図である。
【図８】用紙プロファイル詳細確認画面を示す図である。
【図９】在庫リストを示す図である。
【図１０】在庫リストを表示させる処理を示すフローチャートである。
【図１１】「指定しない」の設定内容が設定されている場合に、在庫リストを表示させる処理を示すフローチャートである。
【図１２】「指定しない」の設定内容が設定されている場合の在庫リストを示す図である。
【図１３】設定内容が一部の項目で一致している在庫を表示させる処理を示すフローチャートである。
【図１４】設定内容が一部の項目で一致している在庫を表示させる在庫リストを示す図である。
【図１５】在庫管理システムから最終納入日、納入予定日、置き場所を取得した在庫情報の例である。
【図１６】最終納入日、納入予定日、置き場所を含む在庫リストを示す図である。
【図１７】第５の実施形態に係るプリンター部の機能的構成を示すブロック図である。
【図１８】第５の実施形態に係る在庫リストを表示させる処理を示すフローチャートである。
【図１９】封筒を除外した在庫リストを示す図である。
【図２０】在庫管理システムから取得した在庫情報の例である。
【図２１】第６の実施形態に係る在庫リストを表示させる処理を示すフローチャートである。
【図２２】タブ耳数を検索条件に加えた在庫リストを示す図である。
【図２３】在庫管理システムから取得した在庫情報の例である。
【図２４】第７の実施形態に係る在庫リストを表示させる処理を示すフローチャートである。
【図２５】第５の実施形態に係る在庫リストを表示させる処理を示すフローチャートである。
【図２６】他の画像形成装置に備えられた各給紙トレイから検索した在庫リストを示す図である。
【図２７】他の画像形成装置から取得した情報の例である。
【発明を実施するための形態】
【００１４】
＜第１の実施形態＞
図１は、機能的構成を示すブロック図である。画像形成装置１００は、制御ブロック部１１０、スキャナー部１３０、操作表示部１４０、プリンター部１５０等を備える。
画像形成装置１００には、画像処理部１６０及びネットワーク２００を介して他の画像形成装置２１０、２２０及び在庫管理システム３００が接続される。ネットワーク２００は、ＬＡＮ（有線ＬＡＮ、無線ＬＡＮ）やＷＡＮ等のネットワークを適宜利用可能である。ネットワーク２００に接続される画像形成装置はいくつであってもよい。在庫管理システム３００は、用紙の在庫が保管される倉庫内の在庫を管理するシステムである。
【００１５】
制御部ブロック部１１０は、ＰＣＩバス１１１、ＤＲＡＭ制御ＩＣ１１２、画像制御ＣＰＵ１１３、ＲＴＣ１１４、不揮発メモリー１１５、読み取り処理部１１６、圧縮／伸長ＩＣ１１７、書き込み処理部１１８、コントローラーＩＣ１１９、ＨＤＤ１２０、画像メモリー１２１、ＬＡＮ制御部１２２、ＬＡＮＩＦ１２３を備える。
【００１６】
ＰＣＩバス１１１は、ＤＲＡＭ制御ＩＣ１１２及びコントローラーＩＣ１１９に接続されるとともに、画像処理部１６０に接続されており、ＤＲＡＭ制御ＩＣ１１２、コントローラーＩＣ１１９、画像処理部１６０の間で情報のやりとりを可能にする。
【００１７】
ＤＲＡＭ制御ＩＣ１１２は、画像制御ＣＰＵ１１３、読み取り処理部１１６、圧縮／伸長ＩＣ１１７、書き込み処理部１１８、画像メモリー１２１に接続されており、読み取り処理部１１６、圧縮／伸長ＩＣ１１７、書き込み処理部１１８を制御する。
【００１８】
画像制御ＣＰＵ１１３は、用紙の搬送制御、画像形成制御、定着制御等、画像形成装置１００の全体を制御し、本発明の制御部として機能する。また、画像制御ＣＰＵ１１３は、ＤＲＡＭ制御ＩＣ１１２、ＲＴＣ１１４、不揮発メモリー１１５等に接続されている。また、画像制御ＣＰＵ１１３は、不揮発メモリー１１５に格納されているプログラム等の情報を読み取ることができる。また、不揮発メモリー１１５に対し情報を格納することもできる。
【００１９】
ＲＴＣ１１４は、装置の稼働時間や時刻の取得を行うことができる装置である。ＲＴＣ１１４の情報は、画像制御ＣＰＵ１１３に送信され、装置の制御やジョブの実行時刻の制御等に使用される。
【００２０】
不揮発メモリー１１５は、画像形成装置１００の印刷設定情報及びプロセス制御パラメーター等が格納されるメモリーである。不揮発メモリー１１５には、画像制御ＣＰＵ１１３を動作させるためのプログラム等が格納される。不揮発メモリーは本発明の記憶部として機能する。
【００２１】
読み取り処理部１１６は、ＤＲＡＭ制御ＩＣ１１２に接続されており、ＣＣＤ１３１から入力されたアナログ画像信号に、アナログ信号処理、Ａ／Ｄ変換処理、シェーディング処理等の各種処理を行い、デジタル画像データを生成する。読み取り処理部１１６によってデジタル化された画像データは、ＤＲＡＭ制御ＩＣ１１２を通して圧縮メモリー１２１Ａとページメモリー１２１Ｂとから構成される画像メモリー１２１に格納される。
【００２２】
圧縮／伸長ＩＣ１１７は、ＤＲＡＭ制御ＩＣ１１２に接続されており、画像データの圧縮処理及び圧縮画像データの伸長処理を行う。読み取り処理部１１６から出力された画像データは、圧縮／伸長ＩＣ１１７によって圧縮処理され、画像メモリー１２１に格納される。
【００２３】
書き込み処理部１１８は、ＤＲＡＭ制御ＩＣ１１２に接続されており、画像メモリー１２１に格納された画像データがＤＲＡＭ制御ＩＣ１１２を通して書き込み処理部１１８に出力される。書き込み処理部１１８は、画像メモリー１２１から出力された画像データに基づいて画像形成部１５１の動作に用いられる書き込みデータを生成する。
【００２４】
また、ＰＣＩバス１１１には、コントローラーＩＣ１１９を介してＨＤＤ１２０が接続されており、画像制御ＣＰＵ１１３の制御に従ってコントローラーＩＣ１１９を介して、ＨＤＤ１２０にデータを格納したり、ＨＤＤ１２０のデータを読み込んだりすることができる。ＨＤＤ１２０には、スキャナー部１３０で取得した画像データや画像処理部１６０に接続された端末等により生成された画像データ等を格納することができる。
【００２５】
画像メモリー１２１は、ＤＲＡＭ制御ＩＣ１１２に接続されており、圧縮画像データを格納するための圧縮メモリー１２１Ａと、画像形成前にプリント対象の非圧縮画像データを一時的に格納するためのページメモリー１２１Ｂとを有する。
【００２６】
スキャナー部１３０は、ＣＣＤ１３１と、スキャナー制御部１３２とを有する。ＣＣＤ１３１は、原稿に対して光学読み取りを行い、読み取った画像データを読み取り処理部１１６に入力する。スキャナー制御部１３２は、スキャナー部１３０全体の制御を行う。また、スキャナー制御部１３２は、画像制御ＣＰＵ１１３とシリアル通信可能に接続されており、画像制御ＣＰＵ１１３による制御を受ける。スキャナー制御部１３２は、ＣＰＵやこれを動作させるプログラム等によって構成することができる。
【００２７】
操作表示部１４０は、ＬＣＤ１４１と、操作部制御部１４２とを備える。ＬＣＤ１４１は、表示部と操作部とを兼ね、タッチパネルで構成される。ＬＣＤ１４１は、画像制御ＣＰＵ１１３の制御を受け、ユーザーに対して各種の情報の報知を行うことができる。例えば、各給紙トレイに設定されている用紙情報等の設定内容の表示を行うことができる。また、ユーザーによる操作を受け付け、これにより用紙情報等の設定を行うことができる。操作部制御部１４２は、画像制御ＣＰＵ１１３にシリアル通信可能に接続されており、操作部全体を制御する。操作表示部１４０による設定内容は、不揮発メモリー１１５等に読み出し可能に格納することができる。なお、操作表示部１４０は、さらにマウス等の操作部を有するものであってもよい。
【００２８】
プリンター部１５０は、画像形成部１５１、プリンター制御部１５２、図示しない給紙トレイや搬送経路等により構成される。画像形成部１５１は、例えば、帯電器、現像器、感光体、転写部、定着器等によって構成され、用紙に画像を形成する。プリンター制御部１５２は、プリンター部１５０全体（給紙、画像形成、排紙）を制御し、画像制御ＣＰＵ１１３にシリアル通信可能に接続されている。プリンター制御部１５２は、制御ＣＰＵ１１３の制御を受け、プリンター部１５０を制御し、用紙搬送、画像形成等を行う。なお、画像形成装置１００に後処理装置を備える場合には、プリンター制御部１５２によって後処理装置を制御することができる。
【００２９】
また、ＰＣＩバス１１１には画像処理部１６０に設けられたＤＲＡＭ制御ＩＣ１６１が接続されている。画像処理部１６０は、ＤＲＡＭ制御ＩＣ１６１、画像メモリー１６２、コントローラー制御部１６３、ＬＡＮ制御部１６４、ＬＡＮＩＦ１６５を有する。ＤＲＡＭ制御ＩＣ１６１には、画像メモリー１６２、コントローラー制御部１６３が接続されている。画像メモリー１６２は、ＤＲＡＭ等で構成される。コントローラー制御部１６３は、画像処理部１６０全体を制御する。さらに、ＤＲＡＭ制御ＩＣ１６１は、ＬＡＮ制御部１６４、ＬＡＮＩＦ１６５を介してネットワーク２００に接続されている。画像処理部１６０は、ネットワーク２００に接続される外部装置（図示しないＰＣ及び画像形成装置２１０、２２０）から画像データを受信したり、スキャナー部１３０で取得した画像データをネットワーク２００に接続される外部装置に送信したりするものである。
【００３０】
また、画像制御ＣＰＵ１１３には、ＬＡＮ制御部１２２を介してＬＡＮＩＦ１２３が接続されており、ＬＡＮＩＦ１２３にネットワーク２００が接続されている。画像制御ＣＰＵ１１３は、ＬＡＮ制御部１２２、ＬＡＮＩＦ１２３を介して、ネットワーク２００に接続された在庫管理システム３００との間で通信が可能である。画像制御ＣＰＵ１１３は、在庫管理システム３００から在庫に関する在庫情報を取得することができる。在庫情報には、用紙名、用紙サイズ、用紙種類、坪量等の用紙情報、及び在庫量が含まれる。ここで、在庫量とは、倉庫に保管されている用紙の枚数である。在庫量はパッケージ単位で管理してもよい。在庫情報は、倉庫に保管されている用紙である各在庫に対して記憶されている。
【００３１】
画像制御ＣＰＵ１１３は在庫情報を取得する際、画像形成装置１００に在庫情報を送信するよう在庫管理システム３００に対して指示し、在庫管理システム３００は指示を受けると画像形成装置１００に在庫情報を送信する。
一方で、在庫管理システム３００の在庫情報は、倉庫に用紙が納入された際、及び、ユーザーが倉庫から用紙を持ち出した際に、自動又は手動入力により更新される。
【００３２】
次に、画像形成装置１００における基本動作について説明する。
【００３３】
画像形成装置１００において、画像制御ＣＰＵ１１３は、操作表示部１４０によってユーザーから読み取りやコピーの指示を受け付けると、スキャナー部１３０に読み取りやコピーの実行を命令する。スキャナー部１３０のスキャナー制御部１３２は、原稿から画像を光学的に読み取るようにＣＣＤ１３１の動作を制御する。画像の読み取りは、図示しない自動原稿搬送装置（ＡＤＦ）を用いて行われる。あるいは、図示しないプラテンガラス上に原稿を置いて読み取ってもよい。
【００３４】
ＣＣＤ１３１は、読み取った画像データを読み取り処理部１１６に入力する。読み取り処理部１１６は、画像データに各種処理を行い、デジタル画像データを生成する。読み取り処理部１１６は、ＤＲＡＭ制御ＩＣ１１２を介してデジタル画像データを圧縮／伸長ＩＣ１１７に送り、圧縮／伸長ＩＣ１１７はデジタル画像データを圧縮処理する。圧縮処理された画像データは、ＤＲＡＭ制御ＩＣ１１２を介して画像メモリー１２１に格納される。
【００３５】
以上では原稿から画像データを読み取る説明をしたが、画像データは外部装置からネットワーク２００を介して画像形成装置１００に入力してもよい。画像データの生成方法は特に限定されるものではない。
【００３６】
画像形成装置１００において画像形成を行う場合、画像制御ＣＰＵ１１３は、圧縮メモリー１２１Ａに格納された画像データ又はＨＤＤ１２０に格納された画像データを、ＤＲＡＭ制御ＩＣ１１２を介して圧縮／伸長ＩＣ１１７に入力する。圧縮／伸長ＩＣ１１７は、入力された画像データを伸長処理し、伸長した画像データを書き込み処理部１１８に入力する。書き込み処理部１１８は、伸長した画像データに基づいてプリンター部１５０の画像形成部１５１の動作に用いられる書き込みデータを生成する。画像形成部１５１は、画像制御ＣＰＵ１１３からプリンター制御部１５２を介して制御を受け、生成された書き込みデータに基づいて画像形成を行う。
【００３７】
具体的には、画像形成部１５１は、生成された書き込みデータに基づいて帯電器で帯電した感光体へ書き込みを行い、感光体に書き込まれた潜像が現像器でトナー像として現像され、トナー像が転写部で搬送経路によって供給される用紙に転写され、転写されたトナー像が定着器で定着される。
【００３８】
また、不揮発メモリー１１５は、用紙プロファイルを記憶することができる。用紙プロファイルは、用紙情報、表裏調整情報、プロセス調整情報から構成される情報の集合である。用紙プロファイルは、任意の給紙トレイに対して設定することが可能となっている。
用紙情報は、用紙サイズ、用紙種類、坪量、速度設定、色紙、パンチ、カール調整、厚さ、出力紙濃度調整等の項目から構成される。
表裏調整情報は、倍率、イメージシフト等の項目から構成される。
プロセス調整情報は、２次転写（転写部）や定着器に関する項目から構成される。
これらの項目を用紙プロファイルの項目と呼ぶ。また、各項目に設定された情報を設定内容と呼ぶ。
【００３９】
次に、画像形成装置１００を用いた在庫の管理の具体例を説明する。
【００４０】
図２は、各給紙トレイに用紙情報を設定するためのトレイ設定画面１４０１を示す図である。ここで設定とは、各給紙トレイに対応付けて用紙情報を記憶することである。トレイ設定画面１４０１は、ユーザーによる操作によってトレイ設定画面１４０１が呼び出されると、画像制御ＣＰＵ１１３によってＬＣＤ１４１に表示される。トレイ設定画面１４０１は、トレイ指定領域１４０１Ａ、用紙情報表示領域１４０１Ｂ、表裏調整情報表示領域１４０１Ｃ、プロセス調整情報表示領域１４０１Ｄ、設定呼出し釦Ｂ１１、設定変更釦Ｂ１２、設定登録釦Ｂ１３、閉じる釦Ｂ１４等を有する。ユーザーは、トレイ設定画面１４０１で各給紙トレイに対して用紙情報を設定することで、その給紙トレイを使用する画像形成の制御に関する条件を決定することができる。
【００４１】
トレイ指定領域１４０１Ａは、設定したい給紙トレイを指定する領域である。トレイ指定領域１４０１Ａは、各給紙トレイを指定するための各給紙トレイに対応する釦を有している。ここでは、「トレイ１」「トレイ２」「手差し」「トレイ３」の４つの給紙トレイに対応する釦が表示されている。
【００４２】
用紙情報表示領域１４０１Ｂは、トレイ指定領域１４０１Ａによって指定された給紙トレイの用紙情報を表示する領域である。用紙情報表示領域１４０１Ｂには、用紙情報を構成する項目として、用紙サイズ、用紙種類、坪量、速度設定、色紙、パンチ、カール調整、厚さ、出力紙濃度調整の項目が表示される。
【００４３】
表裏調整情報表示領域１４０１Ｃは、トレイ指定領域１４０１Ａによって指定された給紙トレイの表裏調整情報を表示する領域である。表裏調整情報の項目には、倍率、イメージシフトが含まれる。
プロセス調整情報表示領域１４０１Ｄは、トレイ指定領域１４０１Ａによって指定された給紙トレイのプロセス調整情報を表示する領域である。プロセス調整情報には、２次転写（転写部）や定着器に関する項目が含まれる。
【００４４】
設定呼出し釦Ｂ１１は、後述する用紙プロファイル呼出し画面１４０２を呼び出すための釦である。
設定変更釦Ｂ１２は、用紙情報、表裏調整情報、プロセス調整情報の各項目の設定内容を変更するための設定変更画面を呼び出すための釦である。
設定登録釦Ｂ１３は、設定変更画面によって変更された設定内容を用紙プロファイルとして記録するための釦である。
閉じる釦Ｂ１４は、設定内容を記憶し、トレイ設定画面１４０１を閉じるための釦である。
【００４５】
画像制御ＣＰＵ１１３は、操作部制御部１４２を介してＬＣＤ１４１を制御する。以下、同様にＬＣＤ１４１に表示される画面に関する制御は、操作部制御部１４２を介して画像制御ＣＰＵ１１３によって行われる。
【００４６】
画像制御ＣＰＵ１１３は、ユーザーによって設定呼出し釦Ｂ１１が押下されると、後述する呼出し画面１４０２をＬＣＤ１４１に表示させる。また、画像制御ＣＰＵ１１３は、ユーザーによって設定変更釦Ｂ１２が押下されると、設定変更画面をＬＣＤ１４１に表示させる。また、画像制御ＣＰＵ１１３は、ユーザーによって設定登録釦Ｂ１３が押下されると、ユーザーの操作によって設定された内容を、不揮発メモリー１１５に記憶させる。また、画像制御ＣＰＵ１１３は、ユーザーによって閉じる釦Ｂ１４が押下されると、トレイ設定画面１４０１を閉じ、ユーザーの操作による設定内容を、ＤＲＡＭ制御ＩＣ１１２を介してＨＤＤ１２０に記憶させる。この際、設定内容は、トレイ指定領域１４０１Ａで指定されている給紙トレイに対応付けて記憶される。
【００４７】
図３は、用紙プロファイル呼出し画面１４０２を示す図である。用紙プロファイル呼出し画面１４０２は、用紙プロファイルを一覧表示する画面であり、ユーザーは表示された用紙プロファイルから一つを選択し、トレイ設定画面１４０１の設定内容に、用紙プロファイルを適用することができる。ここで、用紙プロファイルを適用するとは、給紙トレイに対する用紙情報、表裏調整情報、プロセス調整情報の各項目の設定内容を、用紙プロファイルに含まれる各項目の設定内容に変更することである。用紙プロファイル呼出し画面１４０２は、用紙プロファイル一覧１４０２Ａ、ＯＫ釦Ｂ２１、在庫ありのみ表示釦Ｂ２２、詳細確認釦Ｂ２３等を有する。
【００４８】
用紙プロファイル一覧１４０２Ａには、不揮発メモリー１１５に登録されている用紙プロファイルが一覧表示され、ユーザーによって任意の用紙プロファイルが選択可能となっている。ユーザーによる操作によって、用紙プロファイル一覧１４０２Ａから一つの用紙プロファイルが選択されると、選択された用紙プロファイルが識別できるよう、用紙プロファイル一覧１４０２Ａにおいて選択された用紙プロファイルを強調して表示させる（ハイライト表示）。
【００４９】
用紙プロファイル一覧１４０２Ａは、用紙プロファイル名、用紙サイズ、用紙種類、坪量を有し、さらに用紙在庫欄１４０２Ｂを表示する。用紙在庫欄１４０２Ｂには、各用紙プロファイルに対し、その用紙プロファイルに対応する用紙の在庫の有無に従って「あり」又は「なし」が表示される。これに関する処理については後述する。
【００５０】
ＯＫ釦Ｂ２１は、用紙プロファイル一覧１４０２Ａにおいてユーザーによって一つの用紙プロファイルが選択された場合に、ＯＫ釦Ｂ２１がユーザーによって押下されることにより、その用紙プロファイルをトレイ設定画面１４０１の設定内容に適用させる釦である。ユーザーによって一つの用紙プロファイルが選択されている状態で、ユーザーによってＯＫ釦Ｂ２１が押下されると、画像制御ＣＰＵ１１３は、選択された用紙プロファイルをトレイ設定画面１４０１の設定内容に適用する。用紙プロファイルが適用された設定内容は、トレイ設定画面１４０１で閉じる釦Ｂ１４がユーザーによって押下されるとＨＤＤ１２０に記憶され、これにより設定が完了する。
【００５１】
在庫ありのみ表示釦Ｂ２２は、用紙在庫欄１４０２Ｂにおいて用紙の在庫が「あり」になっている用紙プロファイル、すなわち、用紙プロファイルに対応する用紙の在庫がある用紙プロファイルのみを用紙プロファイル一覧１４０２Ａに表示させる釦である。ユーザーによって在庫ありのみ表示釦Ｂ２２が押下されると、画像制御ＣＰＵ１１３は、用紙の在庫が「あり」になっている用紙プロファイルのみを用紙在庫欄１４０２Ｂに表示させ、用紙の在庫が「なし」になっている用紙プロファイルを非表示にする。
【００５２】
詳細確認釦Ｂ２３は、ユーザーによって選択された用紙プロファイルの詳細設定を確認するための用紙プロファイル詳細確認画面１４０３（図８参照）を表示させる釦である。
【００５３】
図４は、用紙プロファイル呼出し画面１４０２を表示する際に、ＨＤＤ１２０に記憶されているｎ個の用紙プロファイル１〜ｎにそれぞれに対し、その用紙プロファイルに対応する用紙の在庫を検索し、検索した在庫の有無にしたがって「あり」又は「なし」を用紙在庫欄１４０２Ｂに表示させる処理を示すフローチャートである。この処理は、トレイ設定画面１４０１において、ユーザーによって設定呼出し釦Ｂ１１が押下された際に実行される。
【００５４】
まず、画像制御ＣＰＵ１１３は、ＨＤＤ１２０に記憶されている用紙プロファイル１を取得する（ステップＳ１０１）。
【００５５】
在庫管理システム３００から在庫に関する在庫情報１〜ｍ、すなわち全ての在庫情報を取得する（ステップＳ１０２）。ここで、在庫情報には、用紙サイズ、用紙種類、坪量、在庫量が含まれる。
続いて、画像制御ＣＰＵ１１３は、在庫管理システム３００から取得した在庫情報１〜ｍから在庫情報１を選択する（ステップＳ１０３）。
そして、ステップＳ１０１で取得した用紙プロファイル１とステップＳ１０３で選択した在庫情報１について、用紙サイズ、用紙種類、坪量のそれぞれの項目で設定内容が一致しているか判断する（ステップＳ１０４、Ｓ１０５、Ｓ１０６）。
【００５６】
ここで、設定内容が一致しているとは、用紙プロファイルの設定内容が「Ａ４」、「普通紙」等の場合は設定内容が同じであることを意味し、用紙プロファイルの設定内容が「６２−７４ｇ／ｍ２」等、範囲で示されている場合は対応する在庫情報の設定内容がその範囲に含まれていることを意味する（例えば「７０ｇ／ｍ２」）。
【００５７】
用紙サイズ、用紙種類、坪量の全ての項目で設定内容が一致している場合（ステップＳ１０４〜Ｓ１０６でＹＥＳ）、画像制御ＣＰＵ１１３は、在庫情報１に対応する在庫があるか否かを判断する（ステップＳ１０７）。
具体的には、在庫情報１に含まれている在庫量がゼロでなければ在庫があると判断し、在庫情報１に含まれている在庫量がゼロであれば在庫がないと判断する。
在庫情報に対応する在庫は基本的に倉庫にあるが、在庫がなくなった場合も在庫情報は在庫管理システム３００に記憶され続けるため、在庫情報に対応する在庫がない場合がある。
【００５８】
在庫情報１に対応する在庫があると判断した場合（ステップＳ１０７でＹＥＳ）、画像制御ＣＰＵ１１３は、用紙プロファイル１に対応する用紙在庫欄１４０２Ｂに「あり」を表示させる（ステップＳ１０８）。
【００５９】
一方、用紙サイズ、用紙種類、坪量のいずれかの項目で設定内容が一致していない場合（ステップＳ１０４〜Ｓ１０６のいずれかでＮＯ）、画像制御ＣＰＵ１１３は、次の在庫情報が存在するか否かを判断し（ステップＳ１０９）、存在する場合（ステップＳ１０９でＮＯ）、在庫管理システム３００から取得した在庫情報１〜ｍから次の在庫情報である在庫情報２を選択し（ステップＳ１１０）、ステップＳ１０４へ戻る。
ステップＳ１０７において、在庫情報１に対応する在庫がないと判断された場合（ステップＳ１０７でＮＯ）も同様にステップＳ１０９へ進む。
【００６０】
在庫情報２についても同様に、用紙プロファイル１と在庫情報２で用紙サイズ、用紙種類、坪量のそれぞれの項目で設定内容が一致しているか判断し（ステップＳ１０４、Ｓ１０５、Ｓ１０６）、いずれかの項目で設定内容が一致していない場合（ステップＳ１０４〜Ｓ１０６のいずれかでＮＯ）、次の在庫情報が存在するか否かを判断し（ステップＳ１０９）、存在する場合（ステップＳ１０９でＮＯ）、在庫管理システム３００から取得した在庫情報１〜ｍから次の在庫情報である在庫情報３を選択し（ステップＳ１１０）、ステップＳ１０４へ戻る。
ステップＳ１０７において、在庫情報２に対応する在庫がないと判断された場合（ステップＳ１０７でＮＯ）も同様にステップＳ１０９へ進む。
【００６１】
在庫情報３以降も同様にして用紙プロファイル１に対応する在庫を検索する。
【００６２】
ステップＳ１０９において、次の在庫情報が存在しないと判断された場合（ステップＳ１０９でＹＥＳ）、すなわち、在庫情報１〜ｍ全てを検索しても用紙プロファイル１に対応する在庫が存在しなかった場合、画像制御ＣＰＵ１１３は、用紙プロファイル１に対応する用紙在庫欄１４０２Ｂに「なし」を表示させる（ステップＳ１１１）。
【００６３】
画像制御ＣＰＵ１１３は、用紙プロファイル１に対応する用紙在庫欄１４０２Ｂに「あり」又は「なし」を表示させると（ステップＳ１０８又はステップＳ１１１）、次の用紙プロファイルが存在するか否かを判断する（ステップＳ１１２）。
次の用紙プロファイルが存在する場合（ステップＳ１１２でＮＯ）、ＨＤＤ１２０に記憶されている用紙プロファイル１〜ｎから用紙プロファイル２を取得し（ステップＳ１１３）、ステップＳ１０３へ戻る。
【００６４】
以上の処理を繰り返し、ステップＳ１１２において、次の用紙プロファイルが存在しないと判断される（ステップＳ１１２でＹＥＳ）、すなわち、用紙プロファイル１〜ｎ全てに対し、用紙プロファイルに対応する用紙の在庫を検索し、検索した在庫の有無に従って「あり」又は「なし」を用紙在庫欄１４０２Ｂに表示させると、処理を終了する。
【００６５】
このように、画像制御ＣＰＵ１１３は、在庫情報として用紙在庫欄１４０２Ｂに「あり」又は「なし」を表示させる際、ユーザーによって設定された用紙プロファイルを構成する各項目と、在庫管理システム３００から取得した在庫情報を構成する各項目とで、項目に設定された設定内容が一致しているかを判断することで在庫管理システム３００から在庫を検索する。
【００６６】
図５は、在庫管理システム３００から取得した在庫情報の例である。図５には、例として在庫情報１〜６が示されている。
これに対し、図３の用紙プロファイル一覧１４０２Ａにおいて選択されている用紙プロファイルは、用紙サイズが「Ａ４」、用紙種類が「普通紙」、坪量が「６２−７４ｇ／ｍ２」に設定されている。
【００６７】
図４の処理に基づいて、各用紙プロファイルに対し、用紙在庫欄１４０２Ｂに「あり」又は「なし」が次のように表示される。
図５の在庫情報１〜６のうち、在庫情報１がこの用紙プロファイルに対応するため、この用紙プロファイルの用紙在庫欄１４０２Ｂには「あり」が表示される。
用紙プロファイル一覧１４０２Ａにおいて選択されていない他の用紙プロファイルに関しては、図５の在庫情報１〜６の中に対応する在庫情報が存在しないため、これらの用紙プロファイルの用紙在庫欄１４０２Ｂには「なし」が表示される。
【００６８】
図６は、ユーザーによって在庫ありのみ表示釦Ｂ２２が押下されたときの処理を示すフローチャートである。
この処理は、用紙プロファイル呼出し画面１４０２において、ユーザーによって在庫ありのみ表示釦Ｂ２２が押下された際に実行される。この処理では、画像制御ＣＰＵ１１３は、用紙の在庫が「あり」になっている用紙プロファイルのみを用紙在庫欄１４０２Ｂに表示させ、用紙の在庫が「なし」になっている用紙プロファイルを非表示にする。
【００６９】
ステップＳ２１１以外のステップは図４のステップＳ１０１〜Ｓ１１３と同様であるため、ステップＳ２１１について説明する。
ステップＳ２１１において、画像制御ＣＰＵ１１３は、用紙プロファイルに対応する在庫が存在しなかった場合、その用紙プロファイルを非表示にする。
【００７０】
図７は、図３の用紙プロファイル呼出し画面１４０２において、ユーザーによって在庫ありのみ表示釦Ｂ２２が押下され、用紙の在庫が「あり」になっている用紙プロファイルのみを用紙プロファイル一覧１４０２Ａに表示させた図である。
【００７１】
このような表示により、用紙プロファイルが多数存在する場合でも在庫が存在する用紙プロファイルのみを表示させることができるので、用紙プロファイルに適した用紙の在庫情報を容易に把握できる。
【００７２】
全表示釦Ｂ２４は、用紙の在庫が「なし」になっている用紙プロファイルを含めた全ての用紙プロファイルを表示させる釦である。
ユーザーは、全表示釦Ｂ２４を押下することで、全ての用紙プロファイルを表示させることができる。すなわち、図３の状態に戻すことができる。
【００７３】
また、詳細確認釦Ｂ２３は、ユーザーによって用紙プロファイルが選択されていない場合、図７のように押下できない状態となっている。
【００７４】
図８は、図３又は図７の用紙プロファイル一覧１４０２Ａにおいて、ユーザーによって任意の用紙プロファイルが選択されている状態で、詳細確認釦Ｂ２３が押下された際に表示される用紙プロファイル詳細確認画面１４０３を示す図である。
用紙プロファイル詳細確認画面１４０３は、用紙情報表示領域１４０３Ａ、表裏調整情報表示領域１４０３Ｂ、プロセス調整情報表示領域１４０３Ｃ、在庫情報釦Ｂ３１、表示切替釦Ｂ３２を有する。
【００７５】
用紙情報表示領域１４０３Ａ、表裏調整情報表示領域１４０３Ｂ、プロセス調整情報表示領域１４０３Ｃには、それぞれユーザーによって選択された用紙プロファイルの用紙情報、表裏調整情報、プロセス調整情報が表示される。表示切替釦Ｂ３２はプロセス調整情報の表示項目を切り替える釦であり、図８では表示切替釦Ｂ３２の操作によってプロセス調整情報の表示項目が図２から切り替えられている。
【００７６】
ユーザーは、用紙プロファイル呼出し画面１４０２において用紙プロファイル一覧１４０２Ａから任意の用紙プロファイルを選択した上で、詳細確認釦Ｂ２３を押下し、用紙プロファイル詳細確認画面１４０３を表示させることで、選択した用紙プロファイルの設定内容を容易に把握できる。
【００７７】
在庫情報釦Ｂ３１は、在庫リスト一覧画面１４０４を表示させる釦である。
図９は、在庫リスト一覧画面１４０４を示す図である。在庫リスト一覧画面１４０４は、ユーザーによって在庫情報釦Ｂ３１が押下されると表示される。
在庫リスト一覧画面１４０４は、用紙情報表示領域１４０４Ａ、表裏調整情報表示領域１４０４Ｂを有し、さらに、ユーザーによって選択された用紙プロファイルに対応する在庫情報をリスト表示した在庫リスト１４０４Ｃを有する。
【００７８】
在庫リスト１４０４Ｃは、ユーザーによって選択された用紙プロファイルを構成する各項目と、在庫管理システム３００から取得した在庫情報を構成する各項目とで、項目に設定された設定内容が一致する在庫に関する在庫情報を表示するリストである。表示される在庫情報を構成する項目は、用紙名、用紙サイズ、用紙種類、坪量、在庫量である。
【００７９】
用紙情報表示領域１４０４Ａに表示されている用紙プロファイルの用紙サイズ、用紙種類、坪量は、それぞれ「Ａ４」、「普通紙」、「６２−７４ｇ／ｍ２」である。
図５の在庫情報のうち、用紙サイズ、用紙種類、坪量の全ての項目で設定内容が一致しているのは、在庫情報１（Ｐａｐｅｒ１）であるため、在庫情報１が在庫リスト１４０４Ｃに表示されている。
【００８０】
図１０は、在庫リスト１４０４Ｃを表示させる処理を示すフローチャートである。この処理は、ユーザーによって在庫情報釦Ｂ３１が押下された際に実行する。
【００８１】
まず、画像制御ＣＰＵ１１３は、ユーザーによって選択された用紙プロファイルを取得する（ステップＳ３０１）。
【００８２】
次に、在庫管理システム３００から在庫に関する在庫情報１〜ｍを取得する（ステップＳ３０２）。続いて、画像制御ＣＰＵ１１３は、在庫管理システム３００から取得した在庫情報１〜ｍから在庫情報１を選択する（ステップＳ３０３）。
【００８３】
そして、ステップＳ３０１で取得した用紙プロファイルとステップＳ３０３で選択した在庫情報１について、用紙サイズ、用紙種類、坪量のそれぞれの項目で設定内容が一致しているか判断する（ステップＳ３０４、Ｓ３０５、Ｓ３０６）。
【００８４】
用紙サイズ、用紙種類、坪量の全ての項目で設定内容が一致している場合（ステップＳ３０４〜Ｓ３０６でＹＥＳ）、画像制御ＣＰＵ１１３は、在庫情報１を在庫リスト表示対象とし（ステップＳ３０７）、処理をステップＳ３０８へ進める。
【００８５】
一方、用紙サイズ、用紙種類、坪量のいずれかの項目で設定内容が一致していない場合（ステップＳ３０４〜Ｓ３０６のいずれかでＮＯ）、画像制御ＣＰＵ１１３は、在庫情報１を在庫リスト表示対象とせずに処理をステップＳ３０８へ進める。
【００８６】
ステップＳ３０８において、画像制御ＣＰＵ１１３は、次の在庫情報が存在するか否かを判断し（ステップＳ３０８）、存在する場合（ステップＳ３０８でＮＯ）、在庫管理システム３００から取得した在庫情報１〜ｍから在庫情報２を選択し（ステップＳ３０９）、ステップＳ３０４へ戻る。
【００８７】
在庫情報２以降に対しても同様に、ユーザーによって選択された用紙プロファイルと項目に設定された設定内容が一致しているか否かを判断することにより、在庫情報を在庫リスト表示対象とするか否かを判断する。
【００８８】
ステップＳ３０８において、次の在庫情報が存在しないと判断された場合（ステップＳ３０８でＹＥＳ）、すなわち、在庫情報１〜ｍ全てに対して在庫情報を在庫リスト表示対象とするか否かを判断した場合、画像制御ＣＰＵ１１３は、在庫リスト表示対象となっている在庫情報を在庫リスト一覧画面１４０４の在庫リスト１４０４Ｃに表示させ（ステップＳ３１０）、処理を終了する。
【００８９】
ここで、画像制御ＣＰＵ１１３は、在庫情報として、用紙名、用紙サイズ、用紙種類、坪両、在庫量を在庫リスト１４０４Ｃに表示させる。
このとき、在庫リスト表示対象となっている在庫情報を所定の最大表示数まで在庫リスト１４０４Ｃに表示させる。最大表示数として、例えば３を用いることができる。在庫リストをスクロール可能にして、在庫リスト表示対象となっている全ての在庫情報を確認できるようにしてもよい。
【００９０】
以上の処理によって、ユーザーは、用紙プロファイル詳細確認画面１４０３において在庫情報釦Ｂ３１を押下し、詳細を確認している用紙プロファイルに対応する在庫情報を在庫リスト１４０４Ｃに表示させることで、その用紙プロファイルに適した用紙の在庫情報を容易に把握できる。
【００９１】
以上のように、画像形成装置１００は、用紙を収納可能な給紙トレイと、給紙トレイに収納されている用紙の用紙情報を給紙トレイに対して設定するための操作部（操作表示部１４０）と、在庫を管理する在庫管理システム３００から在庫を所定条件で検索可能な画像制御ＣＰＵ１１３と、表示部（操作表示部１４０）と、を備えている。
【００９２】
画像制御ＣＰＵ１１３は、ユーザーの操作表示部１４０の操作よって設定された用紙プロファイルに対応する在庫を在庫管理システム３００から検索し、検索された在庫に関する在庫情報を操作表示部１４０に表示させるので、ユーザーは、給紙トレイに対して用紙情報を設定する場合に、用紙プロファイルに適した用紙の在庫情報を容易に把握できる。
【００９３】
画像制御ＣＰＵ１１３は、在庫管理システム３００から取得した在庫のうち、用紙プロファイルに対応する在庫が複数あった場合、在庫情報を在庫リストとして操作表示部１４０（詳細には在庫リスト１４０４Ｃ）に表示させる。
これにより、ユーザーはさらに容易に用紙プロファイルに適した用紙の在庫情報を把握できる。
【００９４】
画像制御ＣＰＵ１１３は、用紙プロファイル一覧１４０２Ａの用紙在庫欄１４０２Ｂに在庫情報として在庫の有無（「あり」又は「なし」）を表示させる。
これにより、ユーザーは、用紙プロファイル呼出し画面１４０２を呼び出して給紙トレイに対して用紙情報を設定する際、用紙プロファイル一覧１４０２Ａの用紙在庫欄１４０２Ｂを確認することで、用紙プロファイル一覧１４０２Ａに表示されている用紙プロファイルの在庫が存在するか否かを即座に把握できる。
【００９５】
また、在庫リスト１４０４Ｃでは在庫量を表示させるので、詳細を確認している用紙プロファイルに対応する在庫の在庫量が容易に把握できる。
【００９６】
また、画像制御ＣＰＵ１１３は、用紙プロファイル呼出し画面１４０２において、ユーザーによって在庫ありのみ表示釦Ｂ２２が押下された際、在庫がある場合は用紙情報を表示させ、在庫がない場合は用紙情報を表示させない。
これにより、用紙プロファイルが多数存在する場合でも在庫が存在する用紙プロファイルのみを表示させることができるので、用紙プロファイルに適した用紙の在庫情報を容易に把握できる。
【００９７】
＜第２の実施形態＞
図１１は、第２の実施形態に係る在庫リスト１４０４Ｃを表示させる処理を示すフローチャートである。
第２の実施形態は、第１の実施形態と比較して、用紙プロファイルを構成する項目に対して「指定しない」の設定内容が設定される点が異なる。「指定しない」の設定内容は、具体的な設定内容を設定しない場合に設定する設定内容である。ユーザーは、用紙プロファイルを設定する際、設定すべき設定内容がない場合や設定内容を指定したくない場合に「指定しない」の設定内容を設定することができる。
第２の実施形態では、「指定しない」の設定内容が設定される場合を説明するが、項目に対する設定内容が未設定である場合にも以下に説明する処理を行ってもよい。
【００９８】
以下、用紙プロファイルを構成する項目に対して「指定しない」の設定内容が設定されている場合に在庫リスト１４０４Ｃをどのように表示させるかを、図１１を用いて説明する。第１の実施形態と同一又は対応する構成については、同じ符号を用いて説明する。
【００９９】
まず、画像制御ＣＰＵ１１３は、ユーザーによって選択された用紙プロファイルを取得する（ステップＳ４０１）。
次に、在庫管理システム３００から在庫に関する在庫情報１〜ｍを取得する（ステップＳ４０２）。続いて、画像制御ＣＰＵ１１３は、在庫管理システム３００から取得した在庫情報１〜ｍから在庫情報１を選択する（ステップＳ４０３）。
【０１００】
ステップＳ４０４において、画像制御ＣＰＵ１１３は、用紙プロファイルの用紙サイズの項目に対して「指定しない」の設定内容が設定されているか否かを判断する（ステップＳ４０４）。
【０１０１】
「指定しない」の設定内容が設定されている場合（ステップＳ４０４でＹＥＳ）、ステップＳ４０１で取得した用紙プロファイルとステップＳ４０３で選択した在庫情報１について、用紙サイズの項目で設定内容が一致しているか判断せずに、処理をステップＳ４０６へ進める。
【０１０２】
「指定しない」以外の設定内容が設定されている場合、つまり、「Ａ４」や「Ａ３」等の実際の用紙サイズの種類が設定されている場合（ステップＳ４０４でＮＯ）は、ステップＳ４０１で取得した用紙プロファイルとステップＳ４０３で選択した在庫情報１について、用紙サイズの項目で設定内容が一致しているかを判断する（ステップＳ４０５）。
用紙サイズの項目で設定内容が一致している場合（ステップＳ４０５でＹＥＳ）、処理をステップＳ４０６へ進める。
【０１０３】
ステップＳ４０６では、画像制御ＣＰＵ１１３は、用紙プロファイルの用紙種類の項目に対して「指定しない」の設定内容が設定されているか否かを判断する（ステップＳ４０４）。
【０１０４】
用紙サイズの項目に対して判断したステップ（ステップＳ４０４）と同様に、「指定しない」の設定内容が設定されている場合（ステップＳ４０６でＹＥＳ）、用紙プロファイル１と在庫情報１について、用紙種類の項目で設定内容が一致しているか判断せずに、処理をステップＳ４０８へ進め、「指定しない」以外の設定内容が設定されている場合（ステップＳ４０６でＮＯ）、用紙プロファイルと在庫情報１について、用紙種類の項目で設定内容が一致しているかを判断する（ステップＳ４０７）。
【０１０５】
ステップＳ４０８及びＳ４０９でも同様に、坪量の項目に対して「指定しない」の設定内容が設定されているか否かを判断し（ステップＳ４０８）、「指定しない」の設定内容が設定されている場合（ステップＳ４０８でＹＥＳ）、又は、「指定しない」以外の設定内容が設定されていて（ステップＳ４０８でＮＯ）、用紙プロファイルと在庫情報１について、坪量の項目で設定内容が一致している場合（ステップＳ４０９でＹＥＳ）、処理をステップＳ４１０へ進め、在庫情報１を在庫リスト表示対象とする（ステップＳ４１０）。
【０１０６】
このように、用紙プロファイルを構成する項目に対して「指定しない」の設定内容が設定されている場合は、「指定しない」の設定内容が設定されている項目に対して設定内容が一致しているかを判断しない。
【０１０７】
一方、用紙サイズ、用紙種類、坪量のいずれかの項目で、「指定しない」以外の設定内容が設定されていて、用紙プロファイルと在庫情報１について設定内容が一致していない場合（ステップＳ４０５、Ｓ４０７、Ｓ４０９のいずれかでＮＯ）、画像制御ＣＰＵ１１３は、在庫情報１を在庫リスト表示対象とせずに処理をステップＳ４１１へ進める。
【０１０８】
ステップＳ４１１において、画像制御ＣＰＵ１１３は、次の在庫情報が存在するか否かを判断し（ステップＳ４１１）、存在する場合（ステップＳ４１１でＮＯ）、在庫管理システム３００から取得した在庫情報１〜ｍから在庫情報２を選択し（ステップＳ４１２）、ステップＳ４０４へ戻る。
【０１０９】
在庫情報２以降に対しても同様に、ユーザーによって選択された用紙プロファイルと在庫情報とで項目に設定された設定内容が一致しているか否かを判断することにより、在庫情報を在庫リスト表示対象とするか否かを判断する。
この際、用紙プロファイルを構成する項目に対して「指定しない」の設定内容が設定されている場合は、「指定しない」の設定内容が設定されている項目に対して設定内容が一致しているかを判断せずに、次の項目の判断へ移る。
【０１１０】
ステップＳ４１１において、次の在庫情報が存在しないと判断された場合（ステップＳ４１１でＹＥＳ）、すなわち、在庫情報１〜ｍ全てに対して在庫情報を在庫リスト表示対象とするか否かを判断した場合、画像制御ＣＰＵ１１３は、在庫リスト表示対象となっている在庫情報を在庫リスト一覧画面１４０４の在庫リスト１４０４Ｃに表示させ（ステップＳ４１３）、処理を終了する。
【０１１１】
図１２は、用紙プロファイルを構成する項目に対して「指定しない」の設定内容が設定されている場合に在庫を検索し、在庫リスト一覧画面１４０４の在庫リスト１４０４Ｃとして在庫情報を表示させた図である。
用紙情報表示領域１４０４Ａに表示されている用紙プロファイルの用紙サイズ、用紙種類、坪量は、それぞれ「指定しない」、「普通紙」、「６２−７４ｇ／ｍ２」である。
【０１１２】
図５の在庫情報１〜６から上記の用紙プロファイルに対応する在庫を図１１のフローチャートに従って検索する際、用紙サイズの項目に対して「指定しない」の設定内容が設定されているため、用紙サイズの項目に対しては用紙プロファイルと在庫情報１〜６の設定内容が一致しているかを判断しない。
したがって、図５の在庫情報１〜６のうち、上記の用紙プロファイルに対応する在庫情報は、在庫情報１（Ｐａｐｅｒ１）及び２（Ｐａｐｅｒ２）となる。
【０１１３】
第２の実施形態では、用紙プロファイルを構成する項目に対して「指定しない」の設定内容が設定されている場合、「指定しない」の設定内容が設定されている項目に対して設定内容が一致しているかを判断せずに在庫を検索する。
これにより、用紙プロファイルを構成する項目に対して「指定しない」の設定内容が設定されている場合でも、ユーザーは在庫を検索することができ、容易に用紙プロファイルに適した用紙の在庫情報を把握できる。
【０１１４】
詳細には、「指定しない」の設定内容が設定されている項目について、設定内容を指定せずに在庫を検索できるので、ユーザーは、検索対象の在庫にいずれの設定内容が設定されていても在庫として認識することができる。
例えば、図１２では、用紙サイズを指定せずに在庫を検索した結果、ユーザーは、用紙サイズが「Ａ４」の用紙と「Ａ３」の用紙をともに在庫として認識することができる。
【０１１５】
＜第３の実施形態＞
図１３は、第３の実施形態に係る在庫リスト１４０４Ｃを表示させる処理を示すフローチャートである。
第３の実施形態は、第１の実施形態と比較して、設定内容が少なくとも一部の項目で一致している在庫情報を表示させる点が異なる。
【０１１６】
まず、画像制御ＣＰＵ１１３は、ユーザーによって選択された用紙プロファイルを取得する（ステップＳ５０１）。
次に、在庫管理システム３００から在庫に関する在庫情報１〜ｍを取得する（ステップＳ５０２）。続いて、画像制御ＣＰＵ１１３は、在庫管理システム３００から取得した在庫情報１〜ｍから在庫情報１を選択する（ステップＳ５０３）。
【０１１７】
ステップＳ５０４において、画像制御ＣＰＵ１１３は、用紙プロファイルの用紙サイズの項目に対して「指定しない」の設定内容が設定されているか否かを判断する（ステップＳ５０４）。
【０１１８】
「指定しない」の設定内容が設定されている場合（ステップＳ５０４でＹＥＳ）、ステップＳ５０１で取得した用紙プロファイルとステップＳ５０３で選択した在庫情報１について、用紙サイズの項目で設定内容が一致しているか判断せずに、処理をステップＳ５０６へ進める。
【０１１９】
ステップＳ５０６において、画像制御ＣＰＵ１１３は、一致項目カウンターを１増やす（ステップＳ５０６）。一致項目カウンターは、用紙プロファイルと在庫情報について、設定内容が一致している項目の数を示すカウンターである。設定内容が一致している場合のほか、用紙プロファイルの項目に対して「指定しない」の設定内容が設定されている場合も一致項目カウンターを１増やす。設定内容が一致していない場合は、一致項目カウンターを増やさない。
ステップＳ５０６の処理を終えると、ステップＳ５０８へ進む。
【０１２０】
一方、ステップＳ５０４において、「指定しない」以外の設定内容が設定されている場合（ステップＳ５０４でＮＯ）、用紙プロファイルと在庫情報１について、用紙サイズの項目で設定内容が一致しているかを判断する（ステップＳ５０５）。
用紙サイズの項目で設定内容が一致している場合（ステップＳ５０５でＹＥＳ）、処理をステップＳ５０６へ進める。
【０１２１】
用紙サイズの項目で設定内容が一致していない場合（ステップＳ５０５でＮＯ）、不一致項目として用紙サイズを記録し（ステップＳ５０７）、処理をステップＳ５０８へ進める。不一致項目は、用紙プロファイルと在庫情報について、設定内容が一致していない項目を記録するもので、一致項目カウンターとともに各種メモリーに記録される。各種メモリーは、不一致項目として複数の項目を記録できるように構成されている。
なお、本実施形態では不一致項目を記憶させるが、一致項目を記憶させることで不一致項目が把握できるようにしてもよい。一致項目を記憶させるタイミングとして、例えば、一致項目カウンターを増やすときに一致項目を記憶させてもよい。
【０１２２】
ステップＳ５０８〜Ｓ５１１では、画像制御ＣＰＵ１１３は、用紙種類の項目についてステップＳ５０４〜Ｓ５０７と同様の処理を行う。
ステップＳ５１２〜Ｓ５１５では、画像制御ＣＰＵ１１３は、坪量の項目についてステップＳ５０４〜Ｓ５０７と同様の処理を行う。
【０１２３】
ステップＳ５１６において、画像制御ＣＰＵ１１３は、次の在庫情報が存在するか否かを判断し（ステップＳ５１６）、存在する場合（ステップＳ５１６でＮＯ）、在庫管理システム３００から取得した在庫情報１〜ｍから在庫情報２を選択し（ステップＳ５１７）、ステップＳ５０４へ戻る。
【０１２４】
在庫情報２以降に対しても同様に、用紙プロファイルを構成する各項目について、一致項目カウンターを増やすか、不一致項目に項目を記録するか、のいずれかの処理を行い、在庫情報１〜ｍのそれぞれに対して、一致項目カウンター及び不一致項目を記録する。
【０１２５】
ステップＳ５１６において、次の在庫情報が存在しないと判断された場合（ステップＳ５１６でＹＥＳ）、画像制御ＣＰＵ１１３は、在庫リスト一覧画面１４０４の在庫リスト１４０４Ｃに、一致項目カウンターが多い順に在庫情報を表示させ（ステップＳ５１８）、処理を終了する。この際、表示させる在庫情報に対して記憶されている不一致項目に、項目が記録されている場合（設定内容が一致していない項目が存在している場合）、その項目の設定内容を赤字で表示させる（図１４参照）。
【０１２６】
図１４は、設定内容が一部の項目で一致している在庫を表示する在庫リスト１４０４Ｃを示す図である。
用紙情報表示領域１４０４Ａに表示されている用紙プロファイルの用紙サイズ、用紙種類、坪量は、それぞれ「指定しない」、「普通紙」、「６２−７４ｇ／ｍ２」である。
【０１２７】
用紙情報表示領域１４０４Ａに表示されている用紙プロファイルに対応する在庫を、図５の在庫情報１〜６から図１３のフローチャートに従って検索する際、具体的には以下のように処理が行われる。
【０１２８】
在庫情報１〜６のうち、ステップＳ５０３でまず在庫情報１が処理の対象に選択される。その後のステップＳ５０４〜Ｓ５１４で、用紙サイズ、用紙種類、坪量の項目に対し、用紙プロファイルと設定内容が一致しているか判断される。ステップＳ５０４では、用紙プロファイルの用紙サイズの項目に対して「指定しない」の設定内容が設定されているので、画像制御ＣＰＵ１１３は処理をステップＳ５０６に進め、一致項目カウンターを１増やす。
次に、用紙種類の項目では、用紙プロファイルと在庫情報１について設定内容が「普通紙」で一致しているので、ステップＳ５０９でＹＥＳとなり、ステップＳ５１０で一致項目カウンターを１増やす。
坪量の項目でも、用紙プロファイルの設定内容が「６２−７４ｇ／ｍ２」であるのに対し、在庫情報１の設定内容が「７０ｇ／ｍ２」であり、用紙プロファイルの設定内容の範囲に含まれているため設定内容が一致しているので、ステップＳ５１３でＹＥＳとなり、ステップＳ５１４で一致項目カウンターを１増やす。
したがって、在庫情報１に対して記憶される一致項目カウンターは３となる。
【０１２９】
続いて、ステップＳ５１６において、次の在庫情報が存在するので（ステップＳ５１６でＮＯ）、画像制御ＣＰＵ１１３はステップＳ５１７において在庫情報２を選択する。
ステップＳ５０４では、用紙プロファイルの用紙サイズの項目に対して「指定しない」の設定内容が設定されているので、画像制御ＣＰＵ１１３は処理をステップＳ５０６に進め、在庫情報２に対する一致項目カウンターを１増やす。
次に、用紙種類の項目では、用紙プロファイルと在庫情報２について設定内容が「普通紙」で一致しているので、ステップＳ５０９でＹＥＳとなり、ステップＳ５１０で一致項目カウンターを１増やす。
坪量の項目では、用紙プロファイルの設定内容が「６２−７４ｇ／ｍ２」であるのに対し、在庫情報２の設定内容は「６０ｇ／ｍ２」であるため、設定内容が一致していない。したがって、ステップＳ５１３でＮＯとなり、画像制御ＣＰＵ１１３はステップＳ５１５で不一致項目として坪量を保存する。
以上の処理により、在庫情報２に対して記憶される一致項目カウンターは２となる。
【０１３０】
在庫情報３〜６に対しても図１３のフローチャートに従って処理を行い、一致項目カウンターについて、在庫情報３、５、６は１、在庫情報４は坪量の設定内容が一致して２が記憶される。
【０１３１】
ステップＳ５１８では、画像制御ＣＰＵ１１３は、一致項目カウンターが多い順に在庫情報を在庫リスト１４０４Ｃに表示させる。
最も一致項目カウンターが多い在庫情報は、一致項目カウンターが３の在庫情報１であり、次に多いのは一致項目カウンターが２の在庫情報２及び４である。
したがって、画像制御ＣＰＵ１１３は、在庫情報１、２、４の順に在庫情報を在庫リスト１４０４Ｃに表示させる。最大表示数が６であった場合は、続けて在庫情報３、５、６も表示させる。
【０１３２】
このように、在庫リスト１４０４Ｃに在庫情報を表示させる際、設定内容が一致している項目の数（一致項目カウンター）に応じて在庫情報を上から順に表示させるので、ユーザーは設定された用紙プロファイルにより適した在庫を容易に把握することができる。
【０１３３】
また、在庫リスト１４０４Ｃに在庫情報を表示させる際、画像制御ＣＰＵ１１３は、在庫情報に対して記憶されている不一致項目に、項目が記録されている場合には、その設定内容を赤字で表示させる。図１４では、在庫情報２に対して記憶されている不一致項目として坪量が、在庫情報４に対して記憶されている不一致項目として用紙種類が、それぞれ赤字で表示される。
このように、不一致項目の設定内容を赤字で表示させることにより、ユーザーは在庫情報のどの項目が用紙プロファイルと一致していないのかを容易に把握することができる。したがって、全ての項目で設定内容が一致している在庫が存在しない場合でも、次に用紙プロファイルに適した在庫がどれであるかを判断するのが容易となる。
【０１３４】
第３の実施形態では、画像制御ＣＰＵ１１３は、設定内容が少なくとも一部の項目で一致している在庫に関する在庫情報を操作表示部１４０（詳細には在庫リスト一覧画面１４０４の在庫リスト１４０４Ｃ）に表示させる。
これにより、設定された用紙情報（用紙プロファイル）と在庫の用紙情報とで、項目に設定された設定内容が全て一致する在庫のほか、一部の項目で設定内容が一致していない在庫についても在庫リスト１４０４Ｃに表示されるので、ユーザーは設定内容が全て一致する在庫が存在しない場合でも、次に用紙情報に適した用紙を在庫情報から見つけることが容易になる。
【０１３５】
また、在庫リスト１４０４Ｃに在庫情報を表示させる際、設定内容が一致している項目の数（一致項目カウンター）に応じて在庫情報を表示させる位置を決定するので、ユーザーは設定された用紙プロファイルにより適した在庫を容易に把握することができる。
ユーザーが在庫情報を容易に把握するために、一致項目カウンターが多い在庫情報をユーザーが認識しやすい位置に表示させるのが好ましい。例えば、在庫情報を縦に並べて表示させる際は、一致項目カウンターが多い順に上又は下から表示させる形態が考えられる。また、一致項目カウンターが多い在庫情報を操作表示部１４０の中央に表示させる形態も考えられる。
【０１３６】
また、在庫リスト１４０４Ｃに在庫情報を表示させる際、画像制御ＣＰＵ１１３は、全ての項目で設定内容が一致している在庫に関する在庫情報と、設定内容が一部の項目でのみ一致している在庫に関する在庫情報とを、異なる方法で表示させる。
これにより、ユーザーは、全ての項目で設定内容が一致している在庫に関する在庫情報と、設定内容が一部の項目でのみ一致している在庫に関する在庫情報と、を容易に区別することができる。したがって、容易に用紙プロファイルに適した用紙の在庫情報を把握できる。
なお、異なる方法で表示させる例として、不一致項目の設定内容を赤字で表示させる、不一致項目を赤字で表示させる、不一致項目が存在する在庫情報をハイライト表示させる、全ての項目で設定内容が一致している在庫情報をハイライト表示させる等がある。
【０１３７】
＜第４の実施形態＞
図１５は、第４の実施形態に係る在庫管理システム３００から取得した在庫情報の例である。第４の実施形態では、在庫管理システム３００から在庫情報を取得する際、用紙名、用紙サイズ、用紙種類、坪量等の用紙情報の各項目及び在庫量に加え、最終納入日、納入予定日、置き場所に関する情報を取得する。
【０１３８】
最終納入日とは、倉庫に最後に用紙が納入された日である。
納入予定日とは、倉庫に用紙の納入が次に予定されている日である。
置き場所とは、その用紙が保管されている場所である。
【０１３９】
図１６は、最終納入日、納入予定日、置き場所を含む在庫情報を在庫リスト１４０４Ｃに表示させた図である。
【０１４０】
第４の実施形態では、画像制御ＣＰＵ１１３は、在庫情報を操作表示部１４０（詳細には在庫リスト一覧画面１４０４の在庫リスト１４０４Ｃ）に表示させる際、在庫の最終納入日、納入予定日、置き場所の少なくとも一つを表示させるので、ユーザーは用紙プロファイルに適した用紙の在庫情報に関して詳細を把握することができる。
【０１４１】
在庫情報として最終納入日を表示させた場合、ユーザーはその在庫の新しさを判断することができる。例えば、在庫情報に表示された最終納入日が古い場合、その在庫は古く、状態が悪くなっていて使用に適していない可能性がある。このような場合、ユーザーは新たな用紙を購入するか否かを判断する必要がある。最終納入日を表示させることにより、ユーザーは在庫の新しさを容易に判断することができるので、新たな用紙を購入するか否かを適切に判断することができる。
【０１４２】
また、納入予定日を表示させた場合、ユーザーは現在の在庫のみでなく、将来納入される用紙も在庫として把握することができる。例えば、在庫量が必要な量に達していない場合でも、近いうちに納入されることが分かれば、その用紙を用いたジョブを開始させるという判断ができる。納入予定日に加え、納入予定数を表示させるとより好ましい。
【０１４３】
また、置き場所を表示させた場合、ユーザーは在庫が保管されている場所を容易に把握することができる。これにより、用紙を給紙トレイに収納するのが早くなり、ジョブの開始を早めることができる。
【０１４４】
＜第５の実施形態＞
第５の実施形態は、設定された用紙プロファイルの項目に、重送検知センサーによって重送を検知する項目が含まれている場合に用いることができる。
【０１４５】
図１７は、第５の実施形態に係るプリンター部１５０の機能的構成を示すブロック図である。プリンター部１５０は、画像形成部１５１、プリンター制御部１５２、重送検知センサー１５３を有し、さらに図示しない給紙トレイや搬送経路を有する。
【０１４６】
重送検知センサー１５３は、プリンター制御部１５２によって制御可能にプリンター部１５０に接続されている。重送検知センサー１５３の検知結果は、プリンター制御部１５２を介して画像制御ＣＰＵ１１３に送信される。
【０１４７】
重送検知センサー１５３は、搬送経路を搬送される用紙に所定の位置から超音波を照射し、用紙を透過した超音波を受信してその信号値により用紙が重送、すなわち重なって搬送されているか否かを判断する。重送検知センサー１５３は、各給紙トレイからの搬送経路が合流した後、画像形成部１５１より前の搬送経路に設けられる。なお、重送検知センサー１５３は、光を照射及び透過させる構成であってもよい。
【０１４８】
用紙の搬送が円滑になされず、用紙どうしが搬送経路上で重なってしまう重送が発生すると、搬送経路上に設けられた搬送ローラーで紙詰まりを発生させる原因となる。そこで、重送を速やかに検知し、搬送状態を適切に制御するために重送検知センサー１５３が設けられる。
【０１４９】
しかし、封筒等の特殊な用紙を搬送する際には、これを重送と判断してしまい、適切な制御が行えない。封筒のために別の検知センサーを設け、封筒を重送と判断しないようにすることでこれを解決することができるが、装置コストが増加するという問題がある。
そこで、第５の実施形態では、設定された用紙プロファイルの重送検知センサー１５３によって重送を検知する項目に対して「検知する」の設定内容が設定されている場合、用紙種類の項目に対して「封筒」の設定内容が設定されている在庫を除外して在庫を検索する。
【０１５０】
図１８は、第５の実施形態に係る在庫リスト１４０４Ｃを表示させる処理を示すフローチャートである。ステップＳ６０１〜Ｓ６０９及びＳ６１２〜Ｓ６１５は、図１１のステップＳ４０１〜Ｓ４０９及びＳ４１０〜Ｓ４１３と同様であるので説明を省略し、ここではステップＳ６１０及びＳ６１１について説明する。
【０１５１】
ステップＳ６１０において、画像制御ＣＰＵ１１３は、選択された用紙プロファイルの重送検知の項目に対して「検知する」の設定内容が設定されているか否かを判断する（ステップＳ６１０）。「検知する」の設定内容が設定されていない場合、処理をステップＳ６１２へ進める。
【０１５２】
「検知する」の設定内容が設定されている場合（ステップＳ６１０でＹＥＳ）、画像制御ＣＰＵ１１３は、ステップＳ６０３又はＳ６１４で選択された在庫情報の用紙種類の項目に対して「封筒」の設定内容が設定されているか否かを判断する（ステップＳ６１１）。
【０１５３】
用紙種類の項目に対して「封筒」の設定内容が設定されていない場合（ステップＳ６１１でＹＥＳ）、処理をステップＳ６１２へ進め、その在庫情報を在庫リスト１４０４Ｃへの表示対象とする。
用紙種類の項目に対して「封筒」の設定内容が設定されている場合（ステップＳ６１１でＮＯ）、処理をステップＳ６１３へ進め、その在庫情報を表示対象としない。
【０１５４】
図１９は、図１８のフローチャートに従って図２０の在庫情報から封筒を除外して在庫を検索し、在庫リスト１４０４Ｃに表示させた図である。
図２０は、在庫管理システムから取得した在庫情報の例である。
【０１５５】
図１９の用紙情報表示領域１４０４Ａに表示されている用紙プロファイルの用紙サイズ、用紙種類、坪量は、それぞれ「１２０．０×２３５．０ｍｍ」、「指定しない」、「６２−７４ｇ／ｍ２」である。さらに、重送検知の項目は「検知する」である。
図２０で各項目の設定内容が一致する在庫情報は在庫情報４及び５であるが、在庫情報５は用紙種類が「封筒」であるためステップＳ６１１で除外となり、在庫情報４のみが図１９の在庫リスト１４０４Ｃに表示される。
【０１５６】
このように、第５の実施形態では、画像形成装置１００は用紙が重なって搬送される重送を検知する重送検知センサー１５３を備え、画像制御ＣＰＵ１１３は、設定された用紙情報の重送検知センサー１５３によって重送を検知する項目に対して「検知する」の設定内容が設定されている場合は、用紙種類の項目に対して「封筒」の設定内容が設定されている在庫を除外して在庫を検索する。
【０１５７】
これにより、封筒を在庫情報として表示しないので、重送検知が行われる場合にユーザーが用紙として封筒を誤って使用してしまうことを防ぐことができる。また、不必要な在庫情報を表示しないので、封筒以外の在庫情報を容易に把握することができる。
【０１５８】
＜第６の実施形態＞
図２１は、第６の実施形態に係る在庫リスト１４０４Ｃを表示させる処理を示すフローチャートである。第６の実施形態は、設定された用紙プロファイルの項目に「インデックス紙」の設定内容が設定されている場合に用いることができる。インデックス紙とは、所定の位置にタブを有し、用紙間に挿入され区切りを示すことができる用紙のことである。
ステップＳ７０１〜Ｓ７０５及びＳ７０８〜Ｓ７１５は、図１１のステップＳ４０１〜Ｓ４０５及びＳ４０６〜Ｓ４１３と同様であるので説明を省略し、ここではステップＳ７０６及びＳ７０７について説明する。
【０１５９】
用紙プロファイルと在庫情報とで用紙サイズが一致していると（ステップＳ７０５でＹＥＳ）、画像制御ＣＰＵ１１３は、用紙サイズの項目に対して「インデックス紙」の設定内容が設定されているか否かを判断する（ステップＳ７０６）。
「インデックス紙」の設定内容が設定されていない場合（ステップＳ７０６でＹＥＳ）、処理をステップＳ７０８へ進める。
【０１６０】
「インデックス紙」の設定内容が設定されている場合（ステップＳ７０６でＮＯ）、画像制御ＣＰＵ１１３は、用紙プロファイルと在庫情報とでタブ耳数の項目に設定されている設定内容が一致しているか否かを判断する（ステップＳ７０７）。ここで、タブ耳数の項目に対する設定内容は、例えば１から１０の間の数値で設定される。
【０１６１】
タブ耳数が一致している場合（ステップＳ７０７でＹＥＳ）、処理をステップＳ７０８へ進める。
タブ耳数が一致していない場合（ステップＳ７０７でＮＯ）、処理をステップＳ７１３へ進める。
【０１６２】
このように、用紙がインデックス紙である場合にタブ耳数が一致するかを検索条件に加えることにより、ユーザーはより用紙プロファイルに適した在庫情報を把握できる。
【０１６３】
図２２は、図２１のフローチャートに従って図２３の在庫情報から在庫を検索し、在庫リスト１４０４Ｃに表示させた図である。
図２３は、在庫管理システムから取得した在庫情報の例である。
【０１６４】
図２２の用紙情報表示領域１４０４Ａに表示されている用紙プロファイルの用紙サイズ、用紙種類、坪量は、それぞれ「Ａ４Ｔａｂ」、「普通紙」、「６２−７４ｇ／ｍ２」である。さらに、タブ耳数の項目は「５」に設定されている。
この用紙プロファイルは、用紙サイズの項目に対して「Ａ４Ｔａｂ」の設定内容が設定されている。「Ａ４Ｔａｂ」はインデックス紙を示す設定内容である。このように、「インデックス紙」の設定内容が設定されているとは、用紙がインデックス紙であることを示す情報であればよい。したがって、用紙サイズの項目に限らず用紙種類の項目に対して「インデックス紙」の設定項目が設定されていてもよいし、インデックス紙の項目に対して「使用する」の設定項目が設定されていてもよい。また、用紙プロファイルがタブ耳数の項目を含むことによりその用紙がインデックス紙であること示してもよい。
【０１６５】
図２３で用紙サイズの項目に対して「Ａ４Ｔａｂ」の設定内容が設定されている在庫情報は在庫情報４及び５であるが、在庫情報４はタブ耳数が「４」であるためステップＳ７０７で除外となり、タブ耳数が「５」で用紙プロファイルと一致する在庫情報５のみが図２２の在庫リスト１４０４Ｃに表示される。
【０１６６】
このように、第６の実施形態では、画像制御ＣＰＵ１１３は、設定された用紙情報の項目に対して「インデックス紙」の設定内容が設定され、かつ、設定された用紙情報の項目にタブ耳数の項目が含まれている場合は、タブ耳数の項目に設定された設定内容が一致しているかを判断することにより在庫を検索する。
これにより、タブ耳数の項目に設定された設定内容が用紙情報と一致する在庫情報を容易に把握することができる。
【０１６７】
＜第７の実施形態＞
図２４は、第７の実施形態に係る在庫リスト１４０４Ｃを表示させる処理を示すフローチャートである。この処理は、他の画像形成装置（画像形成装置２１０、画像形成装置２２０等）に備えられた各給紙トレイに収納されている用紙を在庫として検索し、在庫リスト１４０４Ｃを表示させる処理である。
【０１６８】
ステップＳ８０１において、画像制御ＣＰＵ１１３は、ユーザーによって選択された用紙プロファイルを取得する（ステップＳ８０１）。
【０１６９】
次に、画像制御ＣＰＵ１１３は、他の画像形成装置からネットワーク２００を介して他の画像形成装置の機器名、各給紙トレイ名、各給紙トレイに設定されている用紙プロファイル、プリントステータス、在庫量、印刷予定枚数を取得する（ステップＳ８０２）。
【０１７０】
次に、画像制御ＣＰＵ１１３は、ユーザーによって選択された用紙プロファイルと取得した各給紙トレイの用紙プロファイルとの一致検索を行う（ステップＳ８０３）。
図２５に、ステップＳ８０３の一致検索のフローチャートを示す。図２５のステップＳ９０１〜Ｓ９１０は図１１のステップＳ４０３〜Ｓ４１２は同様である。在庫管理システム３００から取得した在庫情報ではなく、他の画像形成装置から取得した用紙プロファイルとの一致検索を行う点が異なる。
【０１７１】
最後に、画像制御ＣＰＵ１１３は、表示対象となっている用紙プロファイルを使用している機器名及び給紙トレイ名、プリントステータス、印刷予定枚数を在庫リスト一覧画面１４０４の在庫リスト１４０４Ｃに表示させ、処理を終了する（ステップＳ８０４）。
【０１７２】
図２６は、図２４のフローチャートに従って図２７の他の画像形成装置に備えられた各給紙トレイから在庫を検索し、在庫リスト１４０４Ｃに表示させた図である。
図２７は、他の画像形成装置の機器名、給紙トレイ名、プリントステータス、在庫量、印刷予定枚数を他の画像形成装置から取得した例である。
【０１７３】
図２６の用紙情報表示領域１４０４Ａに表示されている用紙プロファイルの用紙サイズ、用紙種類、坪量は、それぞれ「Ａ４」、「普通紙」、「６２−７４ｇ／ｍ２」である。
図２７で選択された用紙プロファイルと各項目の設定内容が一致する用紙プロファイルは用紙プロファイル１、３、６、７であるため、これらを図２６の在庫リスト１４０４Ｃに表示する。
【０１７４】
図２６の在庫リスト１４０４Ｃは下記の状態を示している。
画像形成装置Ａのトレイ１及び３、画像形成装置Ｃのトレイ２、画像形成装置Ｄのトレイ１に適用された用紙プロファイルが、ユーザーによって選択された用紙プロファイルに対応している。
画像形成装置Ａのトレイ１は、現在印刷中であり、在庫が８００枚あり、計１０００枚を印刷する予定である。
画像形成装置Ａのトレイ３は、現在印刷していないが、トレイ３を使用するジョブが予約されている状態であり、在庫が５００枚あり、計５００枚印刷する予定である。
画像形成装置Ｃのトレイ２は、現在印刷しておらず、トレイ２を使用するジョブも予約されていない状態であり、在庫が６００枚ある。
画像形成装置Ｄのトレイ１は、現在印刷中であるが、何らかの要因で印刷を停止している状態で、在庫が８００枚あり、計３００枚印刷する予定である。
【０１７５】
このように、第７の実施形態では、画像制御ＣＰＵ１１３は、他の画像形成装置に備えられた各給紙トレイに収納されている用紙を在庫として検索する。
これにより、他の画像形成装置に備えられた給紙トレイに収納されている用紙も在庫情報として表示されるので、ユーザーはさらに多くの在庫情報を把握することができ、選択の幅が広がる。例えば、倉庫に用紙プロファイルに適した用紙がない場合であっても、他の画像形成装置に備えられた給紙トレイに収納されている用紙を在庫として利用することができる。
【０１７６】
また、画像制御ＣＰＵ１１３は、在庫リスト１４０４Ｃに機器名を表示させるので、どの画像形成装置に同一の用紙プロファイルを適用している給紙トレイがあるかが分かるようになっている。
さらに、在庫リスト１４０４Ｃに給紙トレイ名を表示させるので、ユーザーは同一の用紙プロファイルを適用している給紙トレイを特定することができる。
第７の実施形態では、機器名及び給紙トレイ名を表示させたが、画像形成装置及び給紙トレイが特定できる情報であればこの構成に限らない。
【０１７７】
また、画像制御ＣＰＵ１１３は、プリントステータスを表示させるので、ユーザーは、用紙が収納されている給紙トレイがどのような状態であるかを把握することができる。これにより、例えば、プリントステータスが待機中である給紙トレイに収納されている用紙を在庫として優先的に利用することができる。
【０１７８】
また、画像制御ＣＰＵ１１３は、在庫量と、印刷予定枚数とを表示させるので、ユーザーは、在庫量と印刷予定枚数とからジョブ終了後に残る在庫量を予測することができる。
画像制御ＣＰＵ１１３が残り枚数（＝在庫量−印刷予定枚数）を算出し、在庫リスト１４０４Ｃに表示させてもよい。
【０１７９】
また、算出した残り枚数に基づいて、在庫リスト１４０４Ｃに表示された在庫情報の表示方法を変更してもよい。
例えば、画像形成装置Ａのトレイ１の残り枚数は８００−１０００＝−２００（枚）であり、不足するので赤字で示す。これによりユーザーは用紙が不足していることを容易に把握することができる。
画像形成装置Ａのトレイ３の残り枚数は５００−５００＝０（枚）であり、不足するおそれがあるので黄色で示す。これにより、ユーザーは給紙トレイに収納されている用紙を在庫として利用すると、その給紙トレイを使用するジョブで用紙が不足することを容易に予測することができる。
【０１８０】
なお、第７の実施形態では在庫リスト１４０４Ｃに用紙サイズ等の用紙プロファイルを表示させていないが、用紙プロファイルを表示してもよい。
【０１８１】
以上、本発明に係る実施形態を説明したが、上記の実施形態における記述は、本発明に係る画像形成装置の例であり、これに限定されるものではなく、本発明の要旨を逸脱しない範囲で変更可能である。
【０１８２】
例えば、用紙情報として用紙プロファイルに対応する在庫を在庫管理システム３００から検索したが、給紙トレイの設定にあたり用紙情報の各項目の設定を手動で行った場合に、設定された用紙情報に対応する在庫を検索してもよい。
また、在庫情報を在庫リスト１４０４Ｃとして表示させたが、在庫情報を操作表示部１４０に表示する形態はこれに限らない。
【符号の説明】
【０１８３】
１００  画像形成装置
１１３  画像制御ＣＰＵ（制御部）
１１５  不揮発メモリー（記憶部）
１４０  操作表示部（操作部、表示部）
１５０  プリンター部
１５３  重送検知センサー
２００  ネットワーク
２１０、２２０  画像形成装置
３００  在庫管理システム
１４０１  トレイ設定画面
１４０２  用紙プロファイル呼出し画面
１４０３  用紙プロファイル詳細確認画面
１４０４  在庫リスト一覧画面
１４０４Ａ  用紙情報表示領域
１４０４Ｂ  表裏調整情報表示領域
１４０４Ｃ  在庫リスト
【図１】
2017015975.tif 000003
【図２】
2017015975.tif 000004
【図３】
2017015975.tif 000005
【図４】
2017015975.tif 000006
【図５】
2017015975.tif 000007
【図６】
2017015975.tif 000008
【図７】
2017015975.tif 000009
【図８】
2017015975.tif 000010
【図９】
2017015975.tif 000011
【図１０】
2017015975.tif 000012
【図１１】
2017015975.tif 000013
【図１２】
2017015975.tif 000014
【図１３】
2017015975.tif 000015
【図１４】
2017015975.tif 000016
【図１５】
2017015975.tif 000017
【図１６】
2017015975.tif 000018
【図１７】
2017015975.tif 000019
【図１８】
2017015975.tif 000020
【図１９】
2017015975.tif 000021
【図２０】
2017015975.tif 000022
【図２１】
2017015975.tif 000023
【図２２】
2017015975.tif 000024
【図２３】
2017015975.tif 000025
【図２４】
2017015975.tif 000026
【図２５】
2017015975.tif 000027
【図２６】
2017015975.tif 000028
【図２７】
2017015975.tif 000029